(57)【特許請求の範囲】
【請求項１】
コンピュータを、
第１のフォルダに格納されたジョブに対して第２のフォルダで行う処理が設定されている設定記憶部、
前記第１のフォルダへの前記ジョブの格納を監視し、前記第１のフォルダへ格納された前記ジョブと、前記設定記憶部に設定されている前記第１のフォルダに格納されたジョブに対して第２のフォルダで行う処理を示すジョブチケットとを第２のフォルダに格納する監視部、
前記第２のフォルダへの前記ジョブと前記ジョブチケットとの格納を監視し、前記第２のフォルダへ格納された前記ジョブに対して、前記ジョブチケットに示された前記処理を行ったあと、前記ジョブの編集を操作者に行わせるためのジョブ編集プログラムを起動するジョブ処理部、
前記ジョブ編集プログラムの起動により、編集待ちジョブリストを含むジョブ編集画面を表示装置に表示させるジョブ編集画面処理部、
として機能させ、
前記ジョブ編集画面処理部は、操作者により前記編集待ちジョブリストから選択されたジョブの確認又は編集作業を前記ジョブ編集画面で前記操作者に行わせること
を特徴とする印刷制御プログラム。
【請求項２】
前記ジョブ処理部は、前記ジョブチケットに示された前記処理の内容のうち前記ジョブ編集プログラムの起動の要否を表す情報を確認し、前記ジョブ編集プログラムの起動の要否を表す情報が起動要を表していれば、前記ジョブ編集プログラムを起動すること
を特徴とする請求項１記載の印刷制御プログラム。
【請求項３】
前記ジョブ処理部は、前記ジョブ編集画面の編集待ちジョブリストの更新要求を、前記ジョブ編集画面処理部に通知し、
前記ジョブ編集画面処理部は、前記ジョブ編集画面の編集待ちジョブリストの更新要求が通知されると、前記第２のフォルダに格納されている前記ジョブのリストを取得し、前記編集待ちジョブリストを作成して前記ジョブ編集画面に表示すること
を特徴とする請求項１又は２記載の印刷制御プログラム。
【請求項４】
前記ジョブ編集画面処理部は、前記編集待ちジョブリストを更新した前記ジョブ編集画面をアクティブウィンドウ化すること
を特徴とする請求項３記載の印刷制御プログラム。
【請求項５】
前記第１のフォルダはホットフォルダであり、前記第２のフォルダはホットフォルダ以外のフォルダであることを特徴とする請求項１乃至４何れか一項記載の印刷制御プログラム。
【請求項６】
前記コンピュータを、更に、
表示装置に第１のフォルダ設定画面を表示させる第１のフォルダ設定画面処理部として機能させ、
前記第１のフォルダ設定画面処理部は、前記第１のフォルダ設定画面に設定された前記第１のフォルダのパスをチェックし、前記第１のフォルダに設定できないパスを前記第１のフォルダに設定できないようにすることを特徴とする請求項１乃至５何れか一項記載の印刷制御プログラム。
【請求項７】
前記第１のフォルダ設定画面処理部は、前記第１のフォルダ設定画面に設定された前記第１のフォルダに格納されたジョブに対して行う処理として、前記ジョブチケットに示された前記処理を行った結果の保存後の印刷、又は、前記ジョブチケットに示された前記処理を行った結果の保存後の前記操作者による前記ジョブの編集待ち、又は、前記ジョブチケットに示された前記処理を行った結果の保存、を前記第１のフォルダ設定画面に設定可能とすることを特徴とする請求項６記載の印刷制御プログラム。
【請求項８】
前記第１のフォルダ設定画面処理部は、前記第１のフォルダ設定画面に設定された前記第１のフォルダに格納されたジョブに対して行う処理のうち、互いに組み合わせられない処理の禁則処理を行う請求項６又は７記載の印刷制御プログラム。
【請求項９】
第１のフォルダに格納されたジョブに対して第２のフォルダで行う処理が設定されている設定記憶部と、
前記第１のフォルダへの前記ジョブの格納を監視し、前記第１のフォルダへ格納された前記ジョブと、前記設定記憶部に設定されている前記第１のフォルダに格納されたジョブに対して第２のフォルダで行う処理を示すジョブチケットとを第２のフォルダに格納する監視部と、
前記第２のフォルダへの前記ジョブと前記ジョブチケットとの格納を監視し、前記第２のフォルダへ格納された前記ジョブに対して、前記ジョブチケットに示された前記処理を行ったあと、前記ジョブの編集を操作者に行わせるためのジョブ編集プログラムを起動するジョブ処理部と、
前記ジョブ編集プログラムの起動により、編集待ちジョブリストを含むジョブ編集画面を表示装置に表示させるジョブ編集画面処理部と、
を有し、
前記ジョブ編集画面処理部は、操作者により前記編集待ちジョブリストから選択されたジョブの確認又は編集作業を前記ジョブ編集画面で前記操作者に行わせること
を特徴とする印刷制御装置。
【請求項１０】
コンピュータによって実行される印刷制御方法であって、
前記コンピュータが、
第１のフォルダへのジョブの格納を監視するステップと、
前記第１のフォルダへ格納された前記ジョブと、設定記憶部に設定されている前記第１のフォルダに格納されたジョブに対して第２のフォルダで行う処理を示すジョブチケットとを第２のフォルダに格納するステップと、
前記第２のフォルダへの前記ジョブと前記ジョブチケットとの格納を監視するステップと、
前記第２のフォルダへ格納された前記ジョブに対して、前記ジョブチケットに示された前記処理を行ったあと、前記ジョブの編集を操作者に行わせるためのジョブ編集プログラムを起動するステップと、
前記ジョブ編集プログラムの起動により、編集待ちジョブリストを含むジョブ編集画面を表示装置に表示させるステップと、
操作者により前記編集待ちジョブリストから選択されたジョブの確認又は編集作業を前記ジョブ編集画面で前記操作者に行わせるステップと、
を実行することを特徴とする印刷制御方法。
【請求項１１】
プリンタ装置と、印刷制御装置とを有する印刷システムであって、
前記印刷制御装置は、
第１のフォルダに格納されたジョブに対して第２のフォルダで行う処理が設定されている設定記憶部と、
前記第１のフォルダへの前記ジョブの格納を監視し、前記第１のフォルダへ格納された前記ジョブと、前記設定記憶部に設定されている前記第１のフォルダに格納されたジョブに対して第２のフォルダで行う処理を示すジョブチケットとを第２のフォルダに格納する監視部と、
前記第２のフォルダへの前記ジョブと前記ジョブチケットとの格納を監視し、前記第２のフォルダへ格納された前記ジョブに対して、前記ジョブチケットに示された前記処理を行ったあと、前記ジョブの編集を操作者に行わせるためのジョブ編集プログラムを起動するジョブ処理部と、
前記ジョブ編集プログラムの起動により、編集待ちジョブリストを含むジョブ編集画面を表示装置に表示させるジョブ編集画面処理部と、
を有し、
前記ジョブ編集画面処理部は、操作者により前記編集待ちジョブリストから選択されたジョブの確認又は編集作業を前記ジョブ編集画面で前記操作者に行わせること
を特徴とする印刷システム。
【発明の詳細な説明】
【技術分野】
【０００１】
本発明は、ジョブ編集を行う印刷制御プログラム、印刷制御装置、印刷制御方法及び印刷システムに関する。
【背景技術】
【０００２】
顧客より印刷物（カタログ、広告等）を受け取り、印刷物から顧客が希望する印刷出力物を生成し、印刷出力物を顧客に納品することで報酬を得る商業印刷業界では、印刷物の受け取りから納品に至るまで、複数の工程を踏んで作業を行っている。印刷物の受け取りから納品に至るまでの工程としては、顧客からの印刷物の入稿、印刷出力物の印刷条件の受付、色修正、レイアウト修正、綴じ位置修正といったプリプレス作業、顧客のプリプレス結果確認の為のプルーフプリント、印刷作業や印刷後の印刷とじ、圧着といった後工程処理、印刷出力物の顧客への納品といったものがあった。なお、印刷物の受け取りから納品に至るまでの工程は、顧客の要望する印刷出力物の印刷条件に伴い増減が発生する。
【０００３】
従来の商業印刷業界では、顧客から大量印刷を行う印刷物の受注が多く、前述した工程で印刷出力物の量産に対応していた、また、大量印刷を行う印刷物は、顧客からの印刷出力物の印刷条件が固定化されるケースが多かった。したがって、従来の商業印刷業界では決定した一つの印刷条件で大量印刷を行い、ロットの印刷終了後、印刷条件を変更し再び大量印刷を行うといった印刷サイクルで、顧客の要望する印刷出力物を生成していた。
【０００４】
この印刷サイクルにおいて、前述した複数の工程は印刷条件が変更になった場合に発生することが多かった。したがって、印刷条件に変更が無い場合、商業印刷業者は同一の工程での連続印刷が可能であり、効率的な大量印刷作業を行うことができた。
【０００５】
近年、商業印刷業界にはＰＯＤ（Print On Demand ）と呼ばれる、比較的小ロットの印刷物を短納期で顧客に納品するといったＰＯＤ市場が出現している。ＰＯＤ市場では複数の顧客からの受注が発生することが多い。結果としてＰＯＤ市場では商業印刷業者に入稿される印刷物や、印刷出力物の印刷条件などが多岐にわたることが多い。
【０００６】
併せて、近年は印刷物のデジタル化が進み、コンピュータを使用した印刷物生成の為の制御がなされるようになった。例えば印刷物を、ネットワークを介して電子データとして入稿したり、前述した複数の工程を制御したりするワークフローといった技術が現れるようになった。例えば、前述したワークフローでは前述した複数の工程での印刷動作をＪＤＦ（Job Definition Format ）と呼ばれるジョブチケットで定義し、印刷システムで印刷動作を制御しているものもある。
【０００７】
このような印刷環境の変化に伴い、商業印刷業者は受注した印刷物を生成する為に印刷システムのコンピュータ化を進めてきた。一方で、商業印刷業者は顧客からの多岐にわたる印刷出力物の印刷条件などに対応できる印刷システムの構築が併せて必要となってきている。さらに、顧客の要望である多岐にわたる印刷出力物を生成する為に、複数のプリンタ装置やデバイス（周辺）装置の導入といったシステム面の対応や、前述した複数の工程の比較的短いサイクルでの変更といった作業工程面での対応も必要となってきた。
【０００８】
商業印刷業者は、前述したような対応が必要となってきたが、利益を産み出す為に更なる業務効率の向上が必要となってくる。業務効率の向上に繋がる施策として、作業の簡素化が一つにある。
【０００９】
例えばプリプレス作業には、印刷データ（ジョブ）の編集作業として面付けやステープル指示などがある。一般的に、ジョブの編集作業はホットフォルダを使用して行う方法が知られている。ホットフォルダとはファイルを分類して格納するフォルダのうち、入れられたファイルに対して何らかのアクションを起こし、生成物を出力するものである。
【００１０】
ホットフォルダを使用したジョブの編集作業は入れられたファイルに対し、予めホットフォルダに定義されている編集内容の処理を自動的に行うものである。ホットフォルダを使用したジョブの編集作業は、従来から知られている（例えば特許文献１参照）。
【発明の概要】
【発明が解決しようとする課題】
【００１１】
ホットフォルダを使用したジョブの編集作業では、印刷データが正しくレイアウトされているか等を、商業印刷業者などの作業者がジョブの編集結果を確認し、必要に応じて再編集したい場合もある。このようなケースでは、ジョブを編集待ちキューなどに待機させておき、ジョブの編集結果の確認、再編集を行っていた。
【００１２】
ジョブの確認、再編集を行う作業者は、編集待ちキューにジョブが入ったことを認識すると、ジョブの編集結果の確認、再編集を行う。ところで、ホットフォルダにジョブを投入する作業者と、ジョブの編集結果の確認、再編集を行う作業者とは必ずしも同一人物と限らない。
【００１３】
ホットフォルダにジョブを投入する作業者と、ジョブの編集結果の確認、再編集を行う作業者とが違っている場合、ジョブの編集結果の確認、再編集を行う作業者は、ジョブがホットフォルダに投入された契機が分からない。したがって、ジョブを編集待ちキューなどに待機させておき、ジョブの編集結果の確認、再編集を作業者に行わせる場合は編集待ちキューにジョブが溜まってしまうという問題があった。また、このような問題を防ぐためにはジョブの編集結果の確認、再編集を行う作業者が、常に編集待ちキューを監視していなければならないという問題があった。
【００１４】
本発明は、上記の点に鑑みなされたもので、投入されるジョブの確認、編集を効率的に行うことができる印刷制御プログラム、印刷制御装置、印刷制御方法及び印刷システムを提供することを目的とする。
【課題を解決するための手段】
【００１５】
上記課題を解決するため、印刷制御プログラムは、コンピュータを、第１のフォルダに格納されたジョブに対して第２のフォルダで行う処理が設定されている設定記憶部、前記第１のフォルダへの前記ジョブの格納を監視し、前記第１のフォルダへ格納された前記ジョブと、前記設定記憶部に設定されている前記第１のフォルダに格納されたジョブに対して第２のフォルダで行う処理を示すジョブチケットとを第２のフォルダに格納する監視部、前記第２のフォルダへの前記ジョブと前記ジョブチケットとの格納を監視し、前記第２のフォルダへ格納された前記ジョブに対して、前記ジョブチケットに示された前記処理を行ったあと、前記ジョブの編集を操作者に行わせるためのジョブ編集プログラムを起動するジョブ処理部、前記ジョブ編集プログラムの起動により、編集待ちジョブリストを含むジョブ編集画面を表示装置に表示させるジョブ編集画面処理部、として機能させ、前記ジョブ編集画面処理部は、操作者により前記編集待ちジョブリストから選択されたジョブの確認又は編集作業を前記ジョブ編集画面で前記操作者に行わせることを特徴とする。
【００１６】
なお、本発明の構成要素、表現または構成要素の任意の組合せを、方法、装置、システム、コンピュータプログラム、記録媒体、データ構造などに適用したものも本発明の態様として有効である。
【発明の効果】
【００１７】
本発明によれば、投入されるジョブの確認、編集を効率的に行うことができる。
【図面の簡単な説明】
【００１８】
【図１】本発明を適用した印刷システムを含む一例のシステム構成図である。
【図２】本発明を適用した印刷システムを含む他の例のシステム構成図である。
【図３】ＰＣの一例のハードウェア構成図である。
【図４】印刷制御ＰＣの一例のソフトウェア構成図である。
【図５】ネットワークフォルダＰＣの一例のソフトウェア構成図である。
【図６】ジョブ編集画面の一例のイメージ図である。
【図７】ホットフォルダ設定画面の一例のイメージ図である。
【図８】ジョブを選択した状態のジョブ編集画面の一例のイメージ図である。
【図９】ホットフォルダ監視部が行うホットフォルダ監視処理の一例のフローチャートである。
【図１０】ジョブ処理部が行うジョブ処理の一例のフローチャートである。
【図１１】ジョブ編集画面処理部が行う編集待ちジョブリスト更新処理の一例のフローチャートである。
【図１２】ジョブ管理サービスの一例のソフトウェア構成図である。
【図１３】ジョブ管理サービスが行う処理の一例のフローチャートである。
【図１４】ホットフォルダ設定画面の他のイメージ図である。
【図１５】ホットフォルダ設定画面の他のイメージ図である。
【図１６】ホットフォルダ設定画面から設定可能な機能の一例を示す図である。
【発明を実施するための形態】
【００１９】
次に、本発明を実施するための最良の形態を、以下の実施例に基づき図面を参照しつつ説明していく。
【実施例１】
【００２０】
＜システム構成＞
図１は本発明を適用した印刷システムを含む一例のシステム構成図である。図１のシステムは顧客ＰＣ１と印刷システム２とがインターネット等のネットワーク３を介して接続されている。顧客ＰＣ１は顧客が利用する装置である。印刷システム２は商業印刷業者などの作業者が利用するシステムである。
【００２１】
また、印刷システム２は管理サーバ１１、印刷制御ＰＣ１２、プリンタ装置１４、デバイス装置１５、ＬＡＮなどのネットワーク１６を有する。管理サーバ１１、印刷制御ＰＣ１２及びプリンタ装置１４はネットワーク１６を介して接続されている。
【００２２】
管理サーバ１１は顧客からの入稿データを管理する装置である。印刷制御ＰＣ１２は印刷制御を行う装置である。プリンタ装置１４は印刷出力物を印刷する装置である。デバイス装置１５は印刷処理や後工程処理で必要となる装置であり、プリンタ装置１４と接続されている。
【００２３】
顧客は顧客ＰＣ１を操作し、ネットワーク３を介して、印刷物の印刷データ及び印刷条件を入稿データとして管理サーバ１１に送信する。管理サーバ１１は顧客ＰＣ１から受信した入稿データを管理する。印刷システム２を利用して印刷出力物の生成作業を行う作業者は印刷制御ＰＣ１２から管理サーバ１１にアクセスして入稿データを取得し、後述のような印刷制御により印刷出力物の生成作業を行う。
【００２４】
また、印刷制御ＰＣ１２はプリンタ装置１４の状態、機器能力等を取得する。ここで言うプリンタ装置１４の状態とは、プリンタ装置１４が印刷可能な状態、プリンタ装置１４が印刷不可の状態、プリンタ装置１４に接続されているデバイス装置１５の状態、等が該当する。機器能力は、印刷時に使用可能な用紙設定、プリンタ装置１４及びデバイス装置１５で可能な能力、等が該当する。
【００２５】
図２は本発明を適用した印刷システムを含む他の例のシステム構成図である。図２の印刷システム２Ａは図１の印刷システム２の構成にネットワークフォルダＰＣ１３が追加されている。なお、ネットワークフォルダＰＣ１３は後述するホットフォルダのエイリアスであり、ホットフォルダと同等に機能する。その他のシステム構成について印刷システム２Ａは印刷システム２と同様であり、説明を省略する。
【００２６】
＜ハードウェア構成＞
印刷制御ＰＣ１２及びネットワークフォルダＰＣ１３は例えば図３に示すようなハードウェア構成のＰＣにより実現される。図３はＰＣの一例のハードウェア構成図である。ＰＣ２０はバス２９で相互に接続されている入力装置２１、出力装置２２、記録媒体読取装置２３、補助記憶装置２４、主記憶装置２５、演算処理装置２６及びインタフェース装置２７を含む。
【００２７】
入力装置２１はキーボードやマウス等である。入力装置２１は各種信号を入力するために用いられる。出力装置２２はディスプレイ装置等である。出力装置２２は各種ウインドウやデータ等を表示するために用いられる。インタフェース装置２７は、モデム，ＬＡＮカード等である。インタフェース装置２７は、ネットワーク１６に接続するために用いられる。
【００２８】
印刷制御ＰＣ１２に搭載される印刷制御プログラム（以下、単にプログラムという）はＰＣ２０を制御する各種プログラムの少なくとも一部である。プログラムは例えば記録媒体２８の配布やネットワーク１６等からのダウンロードなどによって提供される。
【００２９】
記録媒体２８はＣＤ−ＲＯＭ、フレキシブルディスク、光磁気ディスク等の様に情報を光学的，電気的或いは磁気的に記録する記録媒体、ＲＯＭ、フラッシュメモリ等の様に情報を電気的に記録する半導体メモリ等、様々なタイプの記録媒体を用いることができる。
【００３０】
プログラムを記録した記録媒体２８が記録媒体読取装置２３にセットされると、プログラムは記録媒体２８から記録媒体読取装置２３を介して補助記憶装置２４にインストールされる。ネットワーク１６等からダウンロードされたプログラムはインタフェース装置２７を介して補助記憶装置２４にインストールされる。
【００３１】
補助記憶装置２４は、インストールされたプログラム、必要なファイル、データ等を格納する。主記憶装置２５はプログラムの起動時に、補助記憶装置２４からプログラムを読み出して格納する。そして、演算処理装置２６は主記憶装置２５に格納されたプログラムに従って、後述するような各種処理を実現している。
【００３２】
＜ソフトウェア構成＞
図１又は図２に示すようなシステムの場合、印刷制御ＰＣ１２は例えば図４に示すようなソフトウェア構成で実現される。図４は、印刷制御ＰＣの一例のソフトウェア構成図である。図４に示した印刷制御ＰＣ１２は、ジョブ編集プログラム３１、ジョブ管理サービス３２、ホットフォルダ３３、基本ソフト３４、インタフェース３５を有するように構成される。
【００３３】
ジョブ編集プログラムはホットフォルダ３３の設定、及び、ホットフォルダ３３を使用したジョブの編集結果の確認、に関する処理をＰＣ２０に実行させる。ジョブ管理サービス３２はホットフォルダ３３を使用したジョブの編集作業に関する処理をＰＣ２０に実行させる。
【００３４】
基本ソフト３４は例えばオペレーティングシステム（ＯＳ）である。インタフェース３５はネットワーク１６等に接続するために用いられる。ホットフォルダ３３は入れられたジョブに対して行う編集内容の処理が予め定義されているフォルダである。
【００３５】
印刷制御ＰＣ１２は、ジョブ編集プログラム３１を実行することで、ホットフォルダ設定処理部４１、ジョブ編集画面処理部４２、通信部４３を実現する。また、印刷制御ＰＣ１２はジョブ管理サービス３２を実行することで、通信部５１、ホットフォルダ設定記憶部５２、ジョブ処理部５３、ホットフォルダ監視部５４、ジョブ保持フォルダ５５を実現する。
【００３６】
なお、ジョブ管理サービス３２におけるサービスとは、作業者や実行中のソフトウェアの求めに応じて何らかの機能を提供できるよう、バックグラウンドに常駐して稼動し続けるプログラムのことである。
【００３７】
ジョブ編集プログラム３１のホットフォルダ設定処理部４１は後述のホットフォルダ設定画面２００に関する処理を行う。ジョブ編集画面処理部４２は後述のジョブ編集画面１００に関する処理を行う。通信部４３はジョブ管理サービス３２の通信部５１との通信に関する処理を行う。
【００３８】
ジョブ管理サービス３２の通信部５１はジョブ編集プログラム３１の通信部４３との通信に関する処理を行う。ホットフォルダ設定記憶部５２はホットフォルダ３３の設定内容を格納する。ジョブ処理部５３はホットフォルダ３３の設定内容に基づいて、ジョブ保持フォルダ５５に格納されたジョブを処理する。
【００３９】
ホットフォルダ監視部５４はホットフォルダ３３を監視しており、ホットフォルダ３３に投入されたジョブをジョブ保持フォルダ５５に移動する。また、ホットフォルダ監視部５４はホットフォルダ３３の設定内容のジョブチケットを生成してジョブ保持フォルダ５５に格納する。また、ジョブ保持フォルダ５５はジョブ処理部５３によって処理される前のジョブ、ジョブ処理部５３によって処理された後のジョブ、及びジョブチケットを格納する。
【００４０】
例えばホットフォルダ３３の設定を行う場合、作業者はジョブ編集プログラム３１を起動したあと、入力装置２１からホットフォルダ設定画面の表示要求を行う。作業者からのホットフォルダ設定画面の表示要求があると、ホットフォルダ設定画面処理部４１は後述のホットフォルダ設定画面を例えば出力装置２２に表示させる。ホットフォルダ設定画面はホットフォルダ３３の設定を行うための画面である。
【００４１】
ホットフォルダ３３の設定内容には例えば原稿ページ編集、ヘッダ／フッタの編集、面付け／用紙種類、印刷設定、出力などの機能を設定できる。また、ホットフォルダ３３の設定内容にはジョブ処理部５３によってジョブが処理された後、ジョブ編集プログラム３１を起動するか否かを表す「編集アプリケーション起動フラグ」が含まれる。
【００４２】
ホットフォルダ設定画面から作業者によって設定されたホットフォルダ３３の設定内容はホットフォルダ設定画面処理部４１から通信部４３及び５１を介してホットフォルダ設定記憶部５２に格納される。
【００４３】
また、ホットフォルダ監視部５４によるホットフォルダ３３の監視中、ジョブ編集プログラム３１は起動されていても起動されていなくてもよい。ここでは、ジョブ編集プログラム３１が起動されていない例について説明する。
【００４４】
ホットフォルダ監視部５４は、ホットフォルダ設定記憶部５２に格納されている設定内容に従ってホットフォルダ３３を監視する。ホットフォルダ監視部５４はホットフォルダ３３にジョブが投入されると、ホットフォルダ３３に格納されているジョブをジョブ保持フォルダ５５に移動する。
【００４５】
また、ホットフォルダ監視部５４は、ホットフォルダ設定記憶部５２に格納されているホットフォルダ３３の設定内容（面付け、仕上げ等）のジョブチケットを生成し、ジョブと共にジョブ保持フォルダ５５に格納する。そして、ジョブチケットで示される設定内容に基づいて、ジョブ処理部５３はジョブ保持フォルダ５５に格納されたジョブの面付け処理等を行う。
【００４６】
面付け処理等が完了したあと、ジョブ処理部５３はジョブチケットで示される設定内容のうち「編集アプリケーション起動フラグ」がオンの場合に、ジョブ編集プログラム３１を起動する。さらに、ジョブ処理部５３は通信部５１及び４３を介してジョブ編集画面処理部４２に、編集待ちジョブリストの更新要求を通知する。
【００４７】
ジョブ編集画面処理部４２は編集待ちジョブリストの更新要求が通知されると、通信部４３及び５１を介してジョブ保持フォルダ５５が格納しているジョブのジョブリストを取得する。ジョブ編集画面処理部４２は後述のジョブ編集画面を例えば出力装置２２に表示させる。ジョブ編集画面は、ジョブの編集を行うための画面である。
【００４８】
また、図２に示すようなシステムの場合、ネットワークフォルダＰＣ１３は例えば図５に示すようなソフトウェア構成で実現される。図５は、ネットワークフォルダＰＣの一例のソフトウェア構成図である。
【００４９】
図５に示したネットワークフォルダＰＣ１３は、ネットワークフォルダ６１、基本ソフト６２、インタフェース６３を有するように構成される。ネットワークフォルダ６１は図４のホットフォルダ３３のエイリアス（alias）である。ネットワークフォルダ６１は基本ソフト６２、インタフェース６３、図４のインタフェース３５、基本ソフト３４を介してホットフォルダ３３とネットワーク接続されており、ホットフォルダ３３と同等に機能する。なお、図５に示した基本ソフト６２は例えばオペレーティングシステム（ＯＳ）である。インタフェース３５はネットワーク１６等に接続するために用いられる。
【００５０】
＜処理の手順＞
以下では、図４の印刷制御ＰＣ１２の処理ブロックの構成において、作業者が印刷制御ＰＣ１２を操作してホットフォルダ３３の設定を行う処理の流れ、ジョブの編集を行う処理の流れについて説明する。
【００５１】
《ホットフォルダ３３の設定を行う処理》
ジョブ編集画面処理部４２は例えば図６に示すようなジョブ編集画面１００を出力装置２２に表示して作業者に提示する。図６はジョブ編集画面の一例のイメージ図である。図６のジョブ編集画面１００はホットフォルダ設定ボタン１０１、編集待ちジョブ確認ドロップダウンリスト１０２及びジョブの編集画面領域１０３を有する画面例である。
【００５２】
ホットフォルダ設定ボタン１０１はホットフォルダ設定画面を表示させるために作業者が操作するボタンである。ジョブ編集画面処理部４２は作業者によりホットフォルダ設定ボタン１０１が押下されると、ホットフォルダ設定画面処理部４１にホットフォルダ設定画面を表示させる。
【００５３】
ジョブ編集画面処理部４２はジョブ保持フォルダ５５にジョブが格納されている場合に編集待ちジョブ確認ドロップダウンリスト１０２を表示する。ジョブ編集画面処理部４２は編集待ちジョブ確認ドロップダウンリスト１０２として、ジョブ保持フォルダ５５に滞留するジョブ（ジョブチケットの編集アプリケーション起動フラグがオンのジョブ）が表示する。
【００５４】
また、ジョブ編集画面処理部４２はジョブの編集画面領域１０３に編集待ちジョブ確認ドロップダウンリスト１０２から選択されたジョブの編集画面を表示する。図６のジョブ編集画面１００は編集待ちジョブ確認ドロップダウンリスト１０２からジョブが選択されていない状態を表している。
【００５５】
作業者がホットフォルダ設定ボタン１０１を押下すると、ホットフォルダ設定画面処理部４１は、図７に示すようなホットフォルダ設定画面２００を作業者に提示する。図７はホットフォルダ設定画面の一例のイメージ図である。図７のホットフォルダ設定画面２００はホットフォルダ３３の設定内容を表示する。
【００５６】
図７のホットフォルダ設定画面２００は、ホットフォルダ選択欄２０１、フォルダ名設定欄２０２、面付け設定欄２０３、仕上げ設定欄２０４、編集アプリケーション起動フラグ設定欄２０５、ＯＫボタン２０６、キャンセルボタン２０７を有する画面例である。
【００５７】
ホットフォルダ選択欄２０１はホットフォルダ３３の選択状態（選択されているホットフォルダ３３）を表している。ホットフォルダ３３の新規作成時はホットフォルダリストから「新規作成」を選択すればよい。また、フォルダ名設定欄２０２はホットフォルダ３３のディレクトリの設定状態を示している。
【００５８】
面付け設定欄２０３はホットフォルダ３３に投入されたジョブに対する面付け処理の設定状態を示している。仕上げ設定欄２０４はホットフォルダ３３に投入されたジョブに対する仕上げ処理の設定状態を示している。編集アプリケーション起動フラグ設定欄２０５はホットフォルダ３３へジョブが投入されたとき、印刷前に自動的にジョブ編集プログラム３１を起動するか否かの設定状態を示している。
【００５９】
作業者がＯＫボタンを押下すると、ホットフォルダ設定画面処理部４１はホットフォルダ設定画面２００から設定された設定内容を通信部４３及び５１を介してホットフォルダ設定記憶部５２に格納させる。ホットフォルダ設定画面処理部４１はホットフォルダ設定画面４１の提示を終了する。
【００６０】
また、作業者がキャンセルボタン２０７を押下すると、ホットフォルダ設定画面処理部４１はホットフォルダ設定画面２００から設定された設定内容をホットフォルダ設定記憶部５２に格納せず、ホットフォルダ設定画面４１の提示を終了する。
【００６１】
なお、ホットフォルダ３３に投入されたジョブのファイルは自動で移動されたり削除されたりする。したがって、例えばシステム環境設定のフォルダをホットフォルダ３３に指定するとシステム環境を壊す恐れがある。
【００６２】
また、ＰＤＦファイルや印刷ジョブの保存先フォルダにはＰＤＦファイルや印刷ジョブが保存される。例えばＰＤＦファイルや印刷ジョブの保存先フォルダをホットフォルダ３３に指定すると、保存されたファイルが自動的に処理され、ＰＤＦファイルや印刷ジョブが繰返し保存され自動的に処理される無限ループに陥る可能性がある。
【００６３】
よって、ホットフォルダ設定画面処理部４１はフォルダ名設定欄２０２にホットフォルダ３３のディレクトリとして設定されるフォルダパスをチェックする。ホットフォルダ設定画面処理部４１は例えばシステム環境設定のフォルダのようなシステム環境を壊す恐れのあるフォルダや、無限ループに陥る可能性のあるフォルダなどをフォルダ名設定欄２０２に設定できないようにする。
【００６４】
ホットフォルダ３３を使用したジョブの編集作業では、印刷ジョブを自動的に編集して印刷まで実行できる。また、ホットフォルダ３３を使用したジョブの編集作業ではＰＤＦファイルや印刷ジョブを自動的に編集したあと、印刷せずに編集結果を使用することも可能である。
【００６５】
さらに、ホットフォルダ設定画面２００から設定できるホットフォルダ３３の設定内容の中には、お互いに組み合わせられない内容がある。例えば面付けが「ミニ本」の場合は両面印刷しか行えないため、片面印刷を設定すると印刷ジョブの編集作業でエラーが発生する。ホットフォルダ設定画面処理部４１はホットフォルダ３３の設定内容のうち、お互いに組み合わせられない内容の禁則処理を行うことで、印刷ジョブの編集作業や印刷においてエラーが発生しないようにする。
【００６６】
《ジョブの編集を行う処理》
作業者によって編集待ちジョブ確認ドロップダウンリスト１０２からジョブが選択されると、ジョブ編集画面処理部４１はジョブの編集画面領域１０３に、ジョブ確認ドロップダウンリスト１０２から選択されたジョブの編集画面を図８のように表示する。
【００６７】
図８はジョブを選択した状態のジョブ編集画面の一例のイメージ図である。図８に示すジョブ編集画面１００はジョブ確認ドロップダウンリスト１０２から「新規ジョブ１」が選択された状態を表している。ジョブ編集画面処理部４２はジョブ保持フォルダ５５に格納されているジョブ処理部５３によって処理された後のジョブの一例として「新規ジョブ１」の編集画面をジョブの編集画面領域１０３に表示している。
【００６８】
ジョブの編集画面領域１０３には、ジョブのシート毎の用紙サイズ情報１０４、面付け状態表示領域１０５、印刷ボタン１０６を有する画面例である。図８のジョブの編集画面領域１０３はＡ５サイズの原稿がＡ４サイズの印刷用紙（シート）２枚に面付けされている状態を示している。なお、図８のジョブ編集画面１００では「新規ジョブ１」の編集を行う仕組みの図示を省略している。
【００６９】
例えば作業者は図８のジョブ編集画面１００で「新規ジョブ１」の確認、編集が終了したあと、印刷ボタン１０６を押下することで、「新規ジョブ１」の印刷要求を行うことができる。作業者によって印刷ボタン１０６が押下されると、ジョブ編集画面処理部４２はジョブ確認ドロップダウンリスト１０２から選択された「新規ジョブ１」の印刷要求をプリンタ装置１４に対して行う。
【００７０】
《ホットフォルダ監視処理》
図９はホットフォルダ監視部が行うホットフォルダ監視処理の一例のフローチャートである。ステップＳ１において、ホットフォルダ監視部５４はホットフォルダ設定記憶部５２から設定データ（ホットフォルダ３３の設定内容）を一つ取り出す。ステップＳ２において、ホットフォルダ監視部５４は取り出した設定データが示すフォルダ（フォルダ名設定欄２０２に示されるディレクトリ）にジョブがあるかを判定する。
【００７１】
設定データが示すフォルダにジョブがあれば、ホットフォルダ監視部５４はステップＳ３において、設定データが示すフォルダ（ホットフォルダ３３）からジョブを１つ取り出してジョブ保持フォルダ５５に移動する。また、ステップＳ４において、ホットフォルダ監視部５４はホットフォルダ設定記憶部５２に格納されているホットフォルダ３３の設定内容のジョブチケットを生成し、ジョブと共にジョブ保持フォルダ５５に格納する。
【００７２】
ホットフォルダ監視部５４は設定データが示すフォルダにジョブが無くなるまで上記のステップＳ２〜Ｓ４の処理を繰り返す。ホットフォルダ監視部５４は、設定データが示すフォルダにジョブが無くなれば、ステップＳ５において、ホットフォルダ設定記憶部５２に格納されている設定データのチェックが全て終了したか否かを判定する。ステップＳ５の処理は、ジョブがあるか否かの判定を、全てのホットフォルダ３３に対して行ったか否かを判定するものである。
【００７３】
ホットフォルダ設定記憶部５２に格納されている設定データのチェックが完了していなければ、ホットフォルダ監視部５４は再び、ステップＳ１の処理を行う。ホットフォルダ監視部５４はホットフォルダ設定記憶部５２に格納されている設定データのチェックが全て完了するまでステップＳ１〜Ｓ５の処理を繰り返す。ホットフォルダ設定記憶部５２に格納されている設定データのチェックが全て完了していれば、ホットフォルダ監視部５４は図９のホットフォルダ監視処理を終了する。
【００７４】
図９に示したホットフォルダ監視処理により、ホットフォルダ３３に投入されたジョブはホットフォルダ３３の設定内容のジョブチケットと共に、ジョブ保持フォルダ５５に格納される。
【００７５】
《ジョブ処理》
図１０は、ジョブ処理部が行うジョブ処理の一例のフローチャートである。ステップＳ１１において、ジョブ処理部５３はジョブ保持フォルダ５５にジョブがあるかをチェックする。ジョブ保持フォルダ５５にジョブがあれば、ジョブ処理部５３はジョブ保持フォルダ５５から一組のジョブとジョブチケットを取り出す。
【００７６】
ステップＳ１３において、ジョブ処理部５３はジョブチケットで示される設定内容（面付け設定欄２０３に示される面付け処理の設定状態）に基づいて、ジョブの面付け処理を実行する。面付け処理の完了後、ジョブ処理部５３はジョブチケットで示される設定内容のうち「編集アプリケーション起動フラグ」がオン（起動要）かを判定する。
【００７７】
「編集アプリケーション起動フラグ」がオンであれば、ジョブ処理部５３はステップＳ１５において、ジョブ編集プログラム３１が起動中か否かをチェックする。ジョブ編集プログラム３１が起動中でなければ、ジョブ処理部５３はステップＳ１６においてジョブ編集プログラム３１を起動したあと、ステップＳ１７の処理を行う。
【００７８】
また、ジョブ編集プログラム３１が起動中であれば、ジョブ処理部５３はステップＳ１５の処理のあと、ステップＳ１７の処理を行う。ステップＳ１７において、ジョブ処理部５３は通信部５１及び４３を介してジョブ編集画面処理部４２に、編集待ちジョブリストの更新要求を通知する。ステップＳ１７の処理のあと、ジョブ処理部５３はステップＳ１１の処理に戻る。
【００７９】
ジョブチケットで示される設定内容のうち「編集アプリケーション起動フラグ」がオンでなければ、ジョブ処理部５３はステップＳ１４の処理のあと、ステップＳ１８の処理を行い、ステップＳ１１の処理に戻る。
【００８０】
ステップＳ１８において、ジョブ処理部５３はジョブチケットで示される設定内容のうちの仕上げ情報（仕上げ設定欄２０４に示される仕上げ処理の設定状態）に基づき、仕上げ用のプリンタコマンドをジョブに追加し、ジョブをプリンタ装置１４に送信する。その後、ジョブ処理部５３はステップＳ１１の処理に戻る。
【００８１】
ジョブ処理部５３はジョブ保持フォルダ５５に格納されているジョブが無くなるまでステップＳ１１〜Ｓ１８の処理を繰り返す。ジョブ処理部５３はジョブ保持フォルダ５５に格納されているジョブが全て無くなれば、図１０のジョブ処理を終了する。
【００８２】
図１０に示すジョブ処理により、ジョブ保持フォルダ５５に格納されたジョブはジョブチケットで示されるホットフォルダ３３の設定内容に基づいてジョブの面付け処理が実行される。その後、ジョブチケットで示される設定内容のうち「編集アプリケーション起動フラグ」がオンであれば、ジョブ編集プログラム３１はジョブがプリンタ装置１４に送信される前に、ジョブ処理部５３から編集待ちジョブリストの更新要求を受信できる。
【００８３】
《編集待ちジョブリスト更新処理》
また、図１１はジョブ編集画面処理部が行う編集待ちジョブリスト更新処理の一例のフローチャートである。ステップＳ２１において、ジョブ編集画面処理部４２はジョブ処理部５３からの編集待ちジョブリストの更新要求が通知されたかを判定する。
【００８４】
編集待ちジョブリストの更新要求が通知されたと判定すると、ジョブ編集画面処理部４２はステップＳ２２において、通信部４３及び５１を介してジョブ保持フォルダ５５が格納しているジョブのジョブリストを取得する。
【００８５】
ステップＳ２３において、ジョブ編集画面処理部４２は編集待ちジョブ確認ドロップダウンリスト１０２を作成し、ジョブ編集画面１００に表示する。そして、ステップＳ２４において、ジョブ編集画面処理部４２はジョブ編集画面１００をアクティブウィンドウ化する。アクティブウィンドウ化とは、表示画面全体において複数のポップアップ画面が表示されている状況において、複数のポップアップ画面の中からジョブ編集画面１００を最前面に表示変更させることを言う。ステップＳ２４の処理のあと、ジョブ編集画面処理部４２はステップＳ２５の処理を行う。
【００８６】
また、編集待ちジョブリストの更新要求が通知されていないと判定すると、ジョブ編集画面処理部４２はステップＳ２１の処理のあと、ステップＳ２５の処理を行う。ステップＳ２５において、ジョブ編集画面処理部４２は編集待ちジョブリストの更新要求の監視間隔タイマーをセットする。
【００８７】
その後、ジョブ編集画面処理部４２はステップＳ２６において、編集待ちジョブリストの更新要求の監視間隔タイマーの監視時間が経過するまで待機する。ジョブ編集画面処理部４２は監視時間経過後、ステップＳ２１の処理に戻る。
【００８８】
図１１に示した編集待ちジョブリスト更新処理により、ジョブ編集画面処理部４２は編集待ちのジョブがジョブ保持フォルダ５５に格納されていれるときに、編集待ちジョブ確認ドロップダウンリスト１０２を作成し、ジョブ編集画面１００に表示できる。
【００８９】
＜まとめ＞
以上のように、実施例１の印刷制御ＰＣ１２はジョブ編集プログラム３１が起動されていない場合、ジョブがホットフォルダ３３に投入されて編集待ちジョブとなると、ジョブ編集プログラム３１が自動的に起動して編集待ちジョブ確認ドロップダウンリスト１０２を表示する。作業者は編集待ちジョブ確認ドロップダウンリスト１０２から編集待ちのジョブを選択することでジョブの確認、編集作業が行える。なお、実施例１の印刷制御ＰＣ１２はジョブ編集プログラム３１が既に起動している場合も、ジョブがホットフォルダ３３に投入されて編集待ちジョブとなると、自動的に編集待ちジョブ確認ドロップダウンリスト１０２を表示する。
【００９０】
したがって、実施例１の印刷制御ＰＣ１２によれば、編集待ちジョブの確認、編集を行う操作者が、投入される編集待ちジョブの確認、編集を効率的に行うことができる。
【実施例２】
【００９１】
システム構成、ハードウェア構成は実施例１と同様であるため、説明を省略する。
【００９２】
＜ソフトウェア構成＞
実施例２の印刷制御ＰＣ１２は例えば図４に示したソフトウェア構成のうち、ジョブ管理サービス３２のソフトウェア構成を、図１２に示すソフトウェア構成とする。なお、実施例２のジョブ管理サービス３２Ａ以外のソフトウェア構成は、実施例１のソフトウェア構成と同様であるため、説明を省略する。
【００９３】
図１２はジョブ管理サービスの一例のソフトウェア構成図である。印刷制御ＰＣ１２はジョブ管理サービス３２Ａを実行することで、ホットフォルダ管理部３０１、サービスコントローラ３０２、プログラム管理部３０３、プログラムデータＤＢ３０４、ジョブ管理部３０５、ジョブ実行部３０６、ジョブキュー管理部３０７、ジョブキュー３０８、プラグイン３０９を実現する。
【００９４】
なお、ホットフォルダ管理部３０１、プログラム管理部３０３、プログラムデータＤＢ３０４は図４のホットフォルダ設定記憶部５２、ホットフォルダ監視部５４に対応するものである。サービスコントローラ３０２は図４の通信部５１に対応するものである。
【００９５】
ジョブ管理部３０５、ジョブ実行部３０６、プラグイン３０９は図４のジョブ処理部５３に対応するものである。また、ジョブキュー管理部３０７、ジョブキュー３０８は図４のジョブ保持フォルダ５５に対応するものである。
【００９６】
＜処理の手順＞
以下では、図１２のジョブ管理サービス３２Ａの処理の流れについて説明する。図１３はジョブ管理サービスが行う処理の一例のフローチャートである。ホットフォルダ管理部３０１はステップＳ１において、ホットフォルダ３３を監視している。
【００９７】
ホットフォルダ３３にファイルが投入されると、ステップＳ５２に進み、ホットフォルダ管理部３０１は投入されたファイルのパスをサービスコントローラ３０２に渡すことでジョブの登録を行う。ステップＳ５３において、サービスコントローラ３０２は印刷設定情報の取得要求をプログラム管理部３０３に対して行う。ここで言う印刷設定情報は実施例１におけるホットフォルダ３３の設定内容に相当する。
【００９８】
ステップＳ５４、Ｓ５５において、プログラム管理部３０３はプログラムデータＤＢ３０４から印刷設定情報を取得する。ステップＳ５６において、プログラム管理部３０３は印刷設定情報をサービスコントローラ３０２に渡す。
【００９９】
ステップＳ５７において、サービスコントローラ３０２はホットフォルダ３３に投入されたファイル（原稿ファイル）のパスとプログラム管理部３０３から取得した印刷設定情報とをジョブ管理部３０５に渡してジョブの登録を行う。
【０１００】
ステップＳ５８において、ジョブ管理部３０５は、ワークフォルダ３２０に原稿ファイルと印刷設定情報とを保存する。ステップＳ５９において、ジョブ管理部３０５はジョブキュー３０８へのジョブの追加をジョブキュー管理部３０７に要求する。ステップＳ６０において、ジョブキュー管理部３０７はジョブをジョブキュー３０８に追加する。
【０１０１】
ステップＳ６１において、ジョブ管理部３０５は順番が来たジョブの実行をジョブ実行部３０６に要求する。ステップＳ６２において、ジョブ実行部３０６はワークフォルダ３２０から順番が来たジョブの印刷設定情報を取得する。
【０１０２】
ステップＳ６３において、ジョブ実行部３０６は印刷設定情報に基づき、ジョブに対してプラグイン３０９を順番に実行する。なお、図１３ではプラグイン３０９の一例として入稿プラグイン、面付けプラグイン、原稿ページ編集プラグイン、後処理設定プラグイン及び出力データ作成プラグインを示している。ここでは、ホットフォルダ３３へジョブが投入されたとき、印刷前に自動的にジョブ編集プログラム３１を起動する設定状態である例を説明する。
【０１０３】
ステップＳ６４において、ジョブ実行部３０６はジョブキュー３０８に登録されているジョブにステップＳ６３のジョブ実行結果を反映させる要求をジョブキュー管理部３０７に対して行う。ステップＳ６５において、ジョブキュー管理部３０７はジョブキュー３０８に登録されているジョブのデータを編集する。
【０１０４】
ステップＳ６６において、ジョブキュー管理部３０７はジョブ変更情報をジョブ編集プログラム３１に通知する。ここで言うジョブ変更情報は実施例１におけるジョブリストの更新要求及びジョブリストに相当する。そして、ステップＳ６７において、ジョブ編集プログラム３１は編集待ちジョブ確認ドロップダウンリスト１０２を作成し、ジョブ編集画面１００に表示する。
【０１０５】
《ホットフォルダ３３の設定を行う処理》
ジョブ編集プログラム３１のホットフォルダ設定画面処理部４１は例えば図１４に示すようなホットフォルダ設定画面２００Ａ及び図１５に示すようなホットフォルダ設定画面２００Ｂ等を出力装置２２に表示して作業者に提示する。
【０１０６】
ホットフォルダ設定画面２００Ａは「プログラム管理」タブ４００が選択されたときの画面例である。ホットフォルダ設定画面２００Ａはプログラム名の設定欄４０１とホットフォルダ３３のディレクトリの設定欄４０２とを有している。設定欄４０１には、ホットフォルダ３３に投入されたファイルに対して行う編集内容の処理を定義するプログラムのプログラム名を設定する。設定欄４０２には、ホットフォルダ３３のディレクトリを設定する。
【０１０７】
ホットフォルダ設定画面２００Ｂは「出力方法」タブ５００が選択されたときの画面例である。ホットフォルダ設定画面２００Ｂに含まれる「印刷前にジョブ編集プログラムを起動する」のチェックボックス５０１は図７の編集アプリケーション起動フラグ設定欄２０５に相当する。つまり、ホットフォルダ設定画面２００Ｂのチェックボックス５０１にチェックを入れることで、ホットフォルダ３３へジョブが投入されたとき、印刷前に自動的にジョブ編集プログラム３１が起動される。
【０１０８】
「面付け／用紙種類」「原稿ページ編集」「ヘッダー／フッターの編集」「仕上げ」タブが選択されたときの画面例の説明は省略する。なお、ホットフォルダ設定画面２００Ｂ等から設定可能な機能には例えば図１６のようなものがある。図１６はホットフォルダ設定画面から設定可能な機能の一例を示す図である。
【０１０９】
なお、ホットフォルダ３３のディレクトリとしては、例えばディスクトップ及びその配下のディレクトリ、ＯＳ及びその配下のディレクトリ、ユーザプロファイル及びその配下のディレクトリ、ルートディレクトリ、プログラムファイルス及びその配下のディレクトリ、ホットフォルダ設定画面２００Ｂの印刷ジョブの保存先ディレクトリ及びその配下のディレクトリ、ホットフォルダ設定画面２００ＢのＰＤＦファイルの保存先ディレクトリ及びその配下のディレクトリ、他のホットフォルダ３３として指定されたディレクトリの配下のディレクトリ、印刷制御プログラムのインストールフォルダ及びその配下のディレクトリ、印刷制御プログラムのデータフォルダ及びその配下のディレクトリなどを指定できなくしてもよい。
【０１１０】
＜まとめ＞
以上のように、実施例２の印刷制御ＰＣ１２はジョブがホットフォルダ３３に投入されて編集待ちジョブとなると、ジョブ編集プログラム３１が編集待ちジョブ確認ドロップダウンリスト１０２を表示する。作業者は編集待ちジョブ確認ドロップダウンリスト１０２から編集待ちのジョブを選択することでジョブの確認、編集作業が行える。
【０１１１】
したがって、実施例２の印刷制御ＰＣ１２によれば、編集待ちジョブの確認、編集を行う操作者が、投入される編集待ちジョブの確認、編集を効率的に行うことができる。
【０１１２】
本発明は、具体的に開示された実施例に限定されるものではなく、特許請求の範囲から逸脱することなく、種々の変形や変更が可能である。なお、特許請求の範囲に記載した設定記憶部はホットフォルダ設定記憶部５２に相当し、監視部はホットフォルダ監視部５４に相当し、ジョブ処理部はジョブ処理部５３に相当し、第１のフォルダはホットフォルダ３３に相当し、第２のフォルダはジョブ保持フォルダ５５に相当し、ジョブ編集画面処理部はジョブ編集画面処理部４２に相当し、第１のフォルダ設定画面処理部はホットフォルダ設定画面処理部４１に相当する。
【符号の説明】
【０１１３】
１    顧客ＰＣ
２、２Ａ    印刷システム
３    ネットワーク
１１    管理サーバ
１２    印刷制御ＰＣ
１３    ネットワークフォルダＰＣ
１４    プリンタ装置
１５    デバイス装置
１６    ネットワーク
２０    ＰＣ
２１    入力装置
２２    出力装置
２３    記録媒体読取装置
２４    補助記憶装置
２５    主記憶装置
２６    演算処理装置
２７    インタフェース装置
２８    記録媒体
２９    バス
３１    ジョブ編集プログラム
３２、３２Ａ    ジョブ管理サービス
３３    ホットフォルダ
３４、６２    基本ソフト
３５、６３    インタフェース
４１    ホットフォルダ設定処理部
４２    ジョブ編集画面処理部
４３、５１    通信部
５２    ホットフォルダ設定記憶部
５３    ジョブ処理部
５４    ホットフォルダ監視部
５５    ジョブ保持フォルダ
６１    ネットワークフォルダ
１００    ジョブ編集画面
１０１    ホットフォルダ設定ボタン
１０２    編集待ちジョブ確認ドロップダウンリスト
１０３    ジョブの編集画面領域
１０４    ジョブのシート毎の用紙サイズ情報
１０５    面付け状態表示領域
１０６    印刷ボタン
２００、２００Ａ、２００Ｂ    ホットフォルダ設定画面
２０１    ホットフォルダ選択欄
２０２    フォルダ名設定欄
２０３    面付け設定欄
２０４    仕上げ設定欄
２０５    編集アプリケーション起動フラグ設定欄
２０６    ＯＫボタン
２０７    キャンセルボタン
３０１    ホットフォルダ管理部
３０２    サービスコントローラ
３０３    プログラム管理部
３０４    プログラムデータＤＢ
３０５    ジョブ管理部
３０６    ジョブ実行部
３０７    ジョブキュー管理部
３０８    ジョブキュー
３０９    プラグイン
３２０    ワークフォルダ
４００、５００    タブ
４０１、４０２    設定欄
５０１    チェックボックス
【先行技術文献】
【特許文献】
【０１１４】
【特許文献１】特開２００９−１０４３０３号公報
【図３】
0005919783.tif 000002
【図４】
0005919783.tif 000003
【図５】
0005919783.tif 000004
【図６】
0005919783.tif 000005
【図７】
0005919783.tif 000006
【図８】
0005919783.tif 000007
【図９】
0005919783.tif 000008
【図１０】
0005919783.tif 000009
【図１１】
0005919783.tif 000010
【図１２】
0005919783.tif 000011
【図１３】
0005919783.tif 000012
【図１４】
0005919783.tif 000013
【図１５】
0005919783.tif 000014
【図１６】
0005919783.tif 000015
【図１】
0005919783.tif 000016
【図２】
0005919783.tif 000017